(57)【要約】【課題】使用ボールを確認するための視認性及び識別性に優れたゴルフボール及びゴルフボールセットを提供する。【解決手段】ボール本体２の表面に、ボール本体２の表面色とは異なった色を有する複数の彩色マーク４を設け、一部の彩色マーク４に番号表示４ａを設けたので、番号表示４ａによる識別のみならず、彩色マーク４の色で識別することにより、自己の使用ボールを容易に確認することができ、誤球の防止に極めて効果的である。この場合、彩色マーク４がボール本体２の半球面に６個ずつ設けられているので、ボール本体２を何れの方向から見ても一部の彩色マーク４が視野に入るようになっており、例えばコースの芝でボール本体２の一部が見えない場合でも、視認性を低下させることがないという利点がある。【選択図】図１
2008259721.tif 000002
【特許請求の範囲】
【請求項１】
ボール本体の表面に所定の番号、文字、記号、図柄、模様等の識別表示を有するゴルフボールにおいて、
前記ボール本体の表面色とは異なった所定の色を有する所定形状の彩色マークをボール本体の任意の半球面と他の任意の半球面にそれぞれ一つ以上ずつ位置するように複数設け、
少なくとも一つの彩色マークに前記識別表示を設けた
ことを特徴とするゴルフボール。
【請求項２】
前記彩色マークを、頂点がボール本体の表面に位置するように仮想された正多面体の各頂点を基準にそれぞれ配置した
ことを特徴とする請求項１記載のゴルフボール。
【請求項３】
前記彩色マークを、頂点がボール本体の表面に位置するように仮想された準正多面体の各頂点を基準にそれぞれ配置した
ことを特徴とする請求項１記載のゴルフボール。
【請求項４】
前記準正多面体が中央切り準正多面体である
ことを特徴とする請求項３記載のゴルフボール。
【請求項５】
前記彩色マークを外径が３ｍｍ以上２０ｍｍ以下になるように形成した
ことを特徴とする請求項１、２、３または４記載のゴルフボール。
【請求項６】
前記ボール本体の表面に所定の方向性を示す方向性マークを設け、
方向性マークを、特定の方向に方向性を有しない図形からなる第１のマーク部と、第１のマーク部に向かうように長手方向に方向性を有する図形からなる第２のマーク部とから形成した
ことを特徴とする請求項１、２、３、４または５記載のゴルフボール。
【請求項７】
前記第１のマーク部を円形に形成し、
第２のマーク部を長手方向の一端側が他端側よりも第１のマーク部に向かって徐々に幅が小さくなる略三角形状に形成した
ことを特徴とする請求項６記載のゴルフボール。
【請求項８】
前記方向性マークを彩色マークとは異なった色により形成した
ことを特徴とする請求項６または７記載のゴルフボール。
【請求項９】
前記方向性マークを長手方向の全長が１０ｍｍ以上２５ｍｍ以下になるように形成した
ことを特徴とする請求項６、７または８記載のゴルフボール。
【請求項１０】
包装ケースに複数のゴルフボールを収納してなるゴルフボールセットにおいて、
請求項１、２、３、４、５、６、７、８または９記載のゴルフボールのうち、前記彩色マークの色、数、大きさ及び図形の少なくとも一つが異なるゴルフボールを組合わせて包装ケースに収納した
ことを特徴とするゴルフボールセット。
【請求項１１】
第１の包装ケースに複数のゴルフボールを収納するとともに、第２の包装ケースにゴルフボール入りの複数の第１の包装ケースを収納してなるゴルフボールセットにおいて、
請求項１、２、３、４、５、６、７、８または９記載のゴルフボールのうち、前記彩色マークの色、数、大きさ及び図形の少なくとも一つが異なるゴルフボールを収納した第１の包装ケースを組み合わせて第２の包装ケースに収納した
ことを特徴とするゴルフボールセット。
【発明の詳細な説明】
【技術分野】
【０００１】
本発明は、主にゴルフコースで用いられるゴルフボール及びゴルフボールセットに関するものである。
【背景技術】
【０００２】
一般に、ゴルフコースでプレーする場合には、複数の同伴競技者が外見上同じゴルフボールを使用すると、コース上で誤球を生ずるおそれがあるため、互いにボールの銘柄や表示番号の異なるものを使用することにより、誤球を防止するようにしている。通常、この種のゴルフボールは、ボール本体の表面に、商品名等からなる銘柄表示と、数字からなる番号表示とが設けられており（例えば、特許文献１参照。）、同じ銘柄表示で異なった番号表示のものが販売されている。従って、複数の同伴競技者が同一銘柄のゴルフボールを使用する場合は、表示番号の異なるものを使用するようにしている。
【特許文献１】特開２００２−３５１６８号公報
【発明の開示】
【発明が解決しようとする課題】
【０００３】
しかしながら、前記番号表示は、５ｍｍ程度の大きさの数字のみが表示されているにすぎないため、視認性、識別性が十分とはいえず、例えばコースの芝でボールの一部が見えない場合など、自己の使用するボールの番号表示を確認しずらいことが多く、表示番号の誤認も生じやすいという問題点があった。
【０００４】
本発明は前記問題点に鑑みてなされたものであり、その目的とするところは、使用ボールを確認するための視認性及び識別性に優れたゴルフボール及びゴルフボールセットを提供することにある。
【課題を解決するための手段】
【０００５】
本発明は前記目的を達成するために、ボール本体の表面に所定の番号、文字、記号、図柄、模様等の識別表示を有するゴルフボールにおいて、前記ボール本体の表面色とは異なった所定の色を有する所定形状の彩色マークをボール本体の任意の半球面と他の任意の半球面にそれぞれ一つ以上ずつ位置するように複数設け、少なくとも一つの彩色マークに前記識別表示を設けている。
【０００６】
これにより、例えばゴルフコースでプレーする場合、同伴競技者同士で彩色マークの色が異なったものをそれぞれ使用すれば、自己の使用ボールを番号表示と彩色マークの色の両方で識別することができる。また、例えばコースの芝でボール本体の一部が見えない場合でも、ボール本体の半球面には彩色マークがそれぞれ一つ以上ずつ配置されていることから、ボール本体を何れの方向から見ても一部の彩色マークが視野に入るようになっている。
【０００７】
また、本発明は前記目的を達成するために、包装ケースに複数のゴルフボールを収納してなるゴルフボールセットにおいて、前記ゴルフボールのうち、前記彩色マークの色及び数の少なくとも一方が異なるゴルフボールを組合わせて包装ケースに収納している。
【０００８】
これにより、一つのゴルフボールセットを購入すると、彩色マークの色や数の異なる複数のゴルフボールを使用することができる。
【０００９】
また、本発明は前記目的を達成するために、第１の包装ケースに複数のゴルフボールを収納するとともに、第２の包装ケースにゴルフボール入りの複数の第１の包装ケースを収納してなるゴルフボールセットにおいて、請求項１、２、３、４、５、６または７記載のゴルフボールのうち、前記彩色マークの色及び数の少なくとも一方が異なるゴルフボールを収納した第１の包装ケースを組み合わせて第２の包装ケースに収納している。
【００１０】
これにより、一つのゴルフボールセットを購入すると、彩色マークの色や数の異なる複数のゴルフボールを使用することができる。
【発明の効果】
【００１１】
本発明のゴルフボールによれば、番号表示による識別のみならず、彩色マークの色で識別することにより、自己の使用ボールを容易に確認することができ、誤球の防止に極めて効果的である。この場合、ボール本体を何れの方向から見ても一部の彩色マークが視野に入ることから、例えばコースの芝でボール本体の一部が見えない場合でも、視認性を低下させることがないという利点がある。
【００１２】
また、本発明のゴルフボールセットによれば、一つのゴルフボールセットを購入すると、彩色マークの色や数の異なる複数のゴルフボールを使用することができるので、例えばボールを交換するごとに彩色マークの色の異なるゴルフボールを使用したい場合や、一つのゴルフボールセットのゴルフボールを複数の同伴競技者で使い分けたい場合など、ユーザーの趣向や用途に合わせた販売が可能になり、販売促進効果の向上を図ることができる。
【発明を実施するための最良の形態】
【００１３】
図１乃至図５は本発明の一実施形態を示すもので、図１はゴルフボールの正面図、図２は彩色マークの配置を示す図、図３は彩色マークの配置の基準となる正二十面体の正面図、図４は彩色マークの配置の基準となる二十面十二面体の正面図、図５は実験結果を示す図である。
【００１４】
同図に示すゴルフボール１は、ボール本体２の表面に、商品名等からなる銘柄表示３と、円形の図形からなる複数の彩色マーク４とを有し、一部の彩色マーク４内には識別表示としての番号表示４ａが設けられている。尚、ボール本体２の表面に設けられるディンプルの図示は省略する。
【００１５】
彩色マーク４は、ボール本体２の表面色（例えば白色）とは異なった所定の色（例えば赤色）を有し、番号表示４ａは彩色マーク４とは異なった色（例えば白色）で表示されている。各彩色マーク４は、頂点Ａ1 がボール本体２の表面に位置するように仮想した正二十面体Ａの各頂点Ａ1 にそれぞれ配置され、頂点Ａ1 を含むように外径が３ｍｍ以上２０ｍｍ以下に形成されている。即ち、ボール本体１の表面には１２個の彩色マーク４が設けられ、ボール本体２の任意の半球面と他の任意の半球面にそれぞれ６個ずつ配置されている。
【００１６】
以上のように構成されたゴルフボール１をゴルフコースで使用する場合、複数の同伴競技者が同一銘柄のゴルフボール１を使用するときは、それぞれ番号表示４ａの異なるものを使用するが、番号表示４ａのみならず、彩色マーク４の色が異なったもの（例えば、赤色と青色）をそれぞれ使用すれば、自己の使用するゴルフボール１を番号表示４ａと彩色マーク４の色の両方で識別することができる。また、例えばコースの芝でゴルフボール１の一部が見えない場合でも、ボール本体２の半球面には彩色マーク４がそれぞれ６個ずつ配置されているので、ボール本体２を何れの方向から見ても一部の彩色マーク４が視野に入るようになっている。尚、複数の同伴競技者の使用するゴルフボール１の番号表示４ａが同一番号であっても、彩色マーク４の色が異なるものを使用すれば、彩色マーク４の色によって使用ボールの識別が可能である。
【００１７】
このように、本実施形態によれば、ボール本体２の表面に、ボール本体２の表面色とは異なった色を有する複数の彩色マーク４を設け、一部の彩色マーク４に番号表示４ａを設けたので、番号表示４ａによる識別のみならず、彩色マーク４の色で識別することにより、自己の使用ボールを容易に確認することができ、誤球の防止に極めて効果的である。この場合、彩色マーク４がボール本体２の半球面に６個ずつ設けられているので、ボール本体２を何れの方向から見ても一部の彩色マーク４が視野に入るようになっており、例えばコースの芝でボール本体２の一部が見えない場合でも、視認性を低下させることがないという利点がある。
【００１８】
また、各彩色マーク４を、頂点Ａ1 がボール本体２の表面に位置するように仮想した正二十面体Ａの各頂点Ａ1 を基準にそれぞれ配置するようにしたので、各彩色マーク４をボール本体２の表面に均一に配置することができ、視認性のみならず、美観も向上させることができる。
【００１９】
更に、彩色マーク４を外径が３ｍｍ以上２０ｍｍ以下になるように形成したので、視認性の向上及びボール本体の外観の向上を両立させる上で極めて有利である。
【００２０】
尚、前記実施形態では、彩色マーク４を円形に形成したものを示したが、多角形状や星形等、他の形状であってもよい。また、前記実施形態では、一部の彩色マーク４のみに番号表示４ａを設けたものを示したが、全ての彩色マーク４に番号表示４ａを設けるようにしてもよい。更に、前記実施形態では、識別表示として番号表示４ａを彩色マーク４に設けたものを示したが、番号の代わりに、文字、記号、図柄、模様等を識別表示として設けるようにしてもよい。
【００２１】
また、前記実施形態では、１２個の彩色マーク４を正二十面体Ａの各頂点Ａ1 に配置するようにしたものを示したが、正多面体であれば、正四面体、正六面体、正八面体または正十二面体であってもよい。更に、前記実施形態では、正多面体を基準に彩色マーク４を配置したものを示したが、準正多面体を基準にするようにしてもよい。この場合、彩色マーク４の配置には、準正多面体のうち中央切り準正多面体が適しており、例えば中央切り準正多面体のうち、図４に示す二十面十二面体Ｂの頂点Ｂ1 に配置される。また、中央切り準正多面体であれば、立方八面体、菱形十二面体または菱形三十面体であってもよい。尚、彩色マーク４の数や大きさは前記実施形態に限定されるものではなく、正多面体または準正多面体を基準に配置されたものにも限定されるものではない。
【００２２】
ここで、本発明のゴルフボールについて、視認性及び美観性の実験を行ったところ、図５に示す結果が得られた。本実験では、従来例として上下（ボール本体の北極と南極）に番号とロゴからなる識別表示を有するものを用い、実験例１〜１５には、直径７ｍｍの青色の彩色マークを中心が正多面体または準正多面体の頂点に位置するように設けるとともに、ボール本体の北極と南極の彩色マークにそれぞれ番号を設け、番号付き彩色マークの近傍にロゴを設けたものを用いた。
【００２３】
視認性の実験では、実験例１〜１５のゴルフボールを使用するゴルファー２５名と、従来例のゴルフボールを使用する他の３名が９ホールをラウンドし、誤球を生ずる要素の有無により４段階で評価した。即ち、誤球しそうな要素が一切なかった場合は４点、誤球しそうな要素が一切ないわけでわけではない場合は３点、誤球しそうな要素が若干あった場合は２点、誤球しそうな要素があった場合は１点とした。そして、これらの評価点を各実験例１〜１５ごとに合計し、従来例を１００として換算した値が大きいほど視認性に優れるとして評価した。尚、本実験のラウンドでは、全てのゴルファーのゴルフボールについて、マジック等による識別を一切付けないで実験を行った。
【００２４】
美観性の実験では、前記ゴルファー２５名が実験例１〜１５のゴルフボールの外観から感ずる美観により４段階で評価した。即ち、美観に優れていると感じた場合は４点、まずまずの美観を伴っていると感じた場合は３点、特に美観を感じない場合は２点、美観が損なわれていると感じた場合は１点とした。そして、これらの評価点を各実験例１〜１５ごとに合計し、従来例を１００として換算した値が大きいほど美観性に優れるとして評価した。
【００２５】
前記実験の結果、実験例１〜１５は視認性及び美観性の総点が何れも従来例に比べて高いという結果が得られた。また、準正多面体の実験例６〜１５の中では、特に中央切り準正多面体の実験例６〜９の総点が高いという結果が得られた。
【００２６】
図６及び図７は前記実施形態のゴルフボールを収納したゴルフボールセットの一実施形態を示すもので、前記実施形態と同等の構成部分には同一の符号を付して示す。
【００２７】
同図に示すゴルフボールセット１０は、包装ケース１１に３個のゴルフボール１を収納してなり、各ゴルフボール１のうち、彩色マークの色が異なるゴルフボール１を組合わせて収納したものである。
【００２８】
包装ケース１１は各ゴルフボール１を一列に収納可能な縦長の紙箱からなり、その上端または下端の開閉部１１ａを開放することにより、ゴルフボール１を出し入れするようになっている。この場合、包装ケース１１には、第１の色（例えば赤色）の彩色マーク４−１を有するゴルフボール１と、第２の色（例えばオレンジ色）の彩色マーク４−２を有するゴルフボール１と、第３の色（例えば青色）の彩色マーク４−３を有するゴルフボール１とが収納されている。また、包装ケース１１の前面には内部を透視可能な開口部１１ｂが設けられ、開口部１１ｂは透明フィルムによって覆われている。
【００２９】
本実施形態によれば、一つのゴルフボールセット１０を購入すると、彩色マークの色の異なる複数のゴルフボール１を使用することができ、例えばボールを交換するごとに彩色マークの色の異なるゴルフボール１を使用したい場合や、一つのゴルフボールセット１０のゴルフボール１を複数の同伴競技者で使い分けたい場合など、ユーザーの趣向や用途に合わせた販売が可能になり、販売促進効果の向上を図ることができる。
【００３０】
尚、前記実施形態では、包装ケース１１に彩色マークの色の異なるゴルフボール１を収納したものを示したが、彩色マークの数が異なるもの、彩色マークの大きさが異なるもの、彩色マークの図形が異なるもの、または彩色マークの色、数、大きさ及び図形の少なくとも一つが異なるものを収納するようにしてもよい。この場合、番号表示４ａが異なった番号のものを収納するようにしてもよい。また、包装ケース１１に収納されるゴルフボール１の数も３個に限定されるものではない。
【００３１】
図８及び図９は前記実施形態のゴルフボールを収納したゴルフボールセットの他の実施形態を示すもので、前記実施形態と同等の構成部分には同一の符号を付して示す。
【００３２】
同図に示すゴルフボールセット２０は、第１の包装ケース２１に３個のゴルフボール１を収納するとともに、第１の包装ケース２１よりも大きい第２の包装ケース２２にゴルフボール入りの４個の第１の包装ケース２１を収納してなり、各ゴルフボール１のうち、彩色マークの色が異なるゴルフボール１を収納した第１の包装ケース２１を組み合わせて第２の包装ケース２２に収納したものである。即ち、第２の包装ケース２２には１ダースのゴルフボール１が収納されている。
【００３３】
第１の包装ケース２１は各ゴルフボール１を一列に収納可能な縦長の紙箱からなり、前記実施形態と同様、その上端または下端の開閉部２１ａを開放することにより、ゴルフボール１を出し入れするようになっている。また、第１の包装ケース２１の前面には内部を透視可能な開口部２１ｂが設けられ、開口部２１ｂは透明フィルムによって覆われている。
【００３４】
第２の包装ケース２２は、上面を開口したケース本体２２ａと、ケース本体２２ａの上面及び周面を覆う蓋２２ｂとからなり、横向きにした４個の第１の包装ケース２１を幅方向に並べて収納するようになっている。この場合、第２の包装ケース２２には、第１の色（例えば赤色）の彩色マーク４−１を有するゴルフボール１を収納した第１の包装ケース２１と、第２の色（例えばオレンジ色）の彩色マーク４−２を有するゴルフボール１を収納した第１の包装ケース２１と、第３の色（例えば青色）の彩色マーク４−３を有するゴルフボール１を収納した第１の包装ケース２１と、第４の色（例えば緑色）の彩色マーク４−４を有するゴルフボール１を収納した第１の包装ケース２１とが収納されている。
【００３５】
本実施形態によれば、一つのゴルフボールセット２０を購入すると、彩色マークの色の異なる複数のゴルフボール１を使用することができ、前記実施形態と同様、例えばボールを交換するごとに彩色マークの色の異なるゴルフボール１を使用したい場合や、一つのゴルフボールセット２０のゴルフボール１を複数の同伴競技者で使い分けたい場合など、ユーザーの趣向や用途に合わせた販売が可能になり、販売促進効果の向上を図ることができる。また、各第１の包装ケース２１ごとに３個ずつのゴルフボール１に分けることもできるので、ボール使用数の多いユーザー同士で使い分ける場合に有利である。
【００３６】
尚、前記実施形態では、第２の包装ケース２２に彩色マークの色の異なるゴルフボール１を収納した複数の第１の包装ケース２１を収納したものを示したが、彩色マークの数の異なるもの、彩色マークの大きさが異なるもの、彩色マークの図形が異なるもの、または彩色マークの色、数、大きさ及び図形の少なくとも一つが異なるものを収納するようにしてもよい。この場合、番号表示４ａが異なった番号のものを収納するようにしてもよい。また、第１の包装ケース２１内のゴルフボール１も彩色マークの色等の異なるものであってもよい。更に、第１の包装ケース２１に収納されるゴルフボール１の数も３個に限定されるものではなく、第２の包装ケース２２にに収納される第１の包装ケース２１の数も４個にされるものではない。
【００３７】
図１０及び図１１はゴルフボールの他の実施形態を示すもので、図１０はゴルフボールの一側面、図１１はゴルフボールのショット時を示す平面図である。尚、前記実施形態と同等の構成部分には同一の符号を付して示す。
【００３８】
本実施形態では、ボール本体２の表面に、前記銘柄表示３及び彩色マーク４に加え、打ち出し方向の確認に利用可能な所定の方向性を示す方向性マーク５を有し、方向性マーク５はボール本体１の一側面に配置されている。
【００３９】
方向性マーク５は、特定の方向に方向性を有しない円形の図形からなる第１のマーク部５ａと、第１のマーク部５ａに向かうように方向性を有する略三角形状の図形からなる第２のマーク部５ｂとからなり、ボール本体１の表面に彩色マーク４とは異なる色（例えば、黒色）で印刷されている。第２のマーク部５ｂは、長手方向の一端側が他端側よりも第１のマーク部５ａに向かって徐々に幅が小さくなるように形成され、長手方向の一端部及び長手方向の他端側の幅方向両端部はそれぞれ円弧状に面取りされている。この場合、第２のマーク部５ｂは、他端側の最大幅部分から一端部までの輪郭線が幅方向内側に向かって凹状をなす緩やかな曲線により形成されている。また、第１のマーク部５ａと第２のマーク部５ｂの長手方向一端との間には所定の間隔が設けられ、方向性マーク５の長手方向の全長が１０ｍｍ以上２５ｍｍ以下になるように形成されている。
【００４０】
以上のように構成されたゴルフボール１を使用する場合には、図１１に示すように方向性マーク５の第１のマーク部５ａが打ち出し方向の前方となるように第２のマーク部５ｂを打ち出し方向に平行に合わせてアドレスし、ゴルフクラブ６のフェース６ａを方向性マーク５が示す方向に直角になるようにして打ち出すことにより、ショットの方向性を高めることができる。その際、例えば方向性マーク５の第１のマーク部５ａがボールをイメージさせ、第２のマーク部５ｂがボールの飛球線をイメージさせることから、目標方向に正確にボールを打つイメージが視覚的に促される。
【００４１】
このように、本実施形態によれば、所定の方向性を有する方向性マーク５を、特定の方向に方向性を有しない図形からなる第１のマーク部５ａと、第１のマーク部５ａに向かうように長手方向に方向性を有する図形からなる第２のマーク部５ｂとから形成したので、方向性マーク５の全体によって方向性が示されるとともに、第１のマーク部５ａに向かって第２のマーク部５ｂが方向性を有することにより、目標方向にボールを正確に打ち出すイメージを視覚的に促すことができ、このような方向性マーク５のデザインによって正確なショットのイメージを心理的に抱かせることができる。即ち、本実施形態では、前述のように彩色マーク４によって使用ボールを確認するための視認性及び識別性を高めることができるとともに、方向性マーク５によってショットの方向性も高めることができるので、ゴルフボール１の付加価値をより高めることができる。
【００４２】
この場合、方向性マーク５の色が彩色マーク４の色と異なるようにすることにより、方向性マーク５を彩色マーク４と視覚的に区別しやすくなり、方向性マーク５による効果をより高めることができる。
【００４３】
また、第１のマーク部５ａを円形に形成し、第２のマーク部５ｂを長手方向の一端側が他端側よりも第１のマーク部に向かって徐々に幅が小さくなる略三角形状に形成したので、第１のマーク部５ａがボールをイメージさせ、第２のマーク部５ｂがボールの飛球線をイメージさせることから、目標方向にボールを打ち出すイメージをより高めることができるとともに、デザイン性にも優れた方向性マーク５を形成することができる。
【００４４】
更に、方向性マーク５を長手方向の全長が１０ｍｍ以上２５ｍｍ以下になるように形成したので、視認性をより向上させることができる。
【００４５】
尚、前記実施形態では、第１のマーク部５ａを円形に形成したものを示したが、特定の方向に方向性を有しない図形であれば、多角形状や星形等、他の形状であってもよい。また、前記実施形態では、第２のマーク部５ｂを他端側の最大幅部分から一端部までの輪郭線が緩やかな曲線状をなすように形成したものを示したが、直線状の輪郭線であってもよい。更に、前記実施形態では、第２のマーク部５ｂを略三角形状に円形に形成したものを示したが、第１のマーク部５ａに向かう方向性を有する図形であれば、矢印状や複数の三角形を一列に配列したものなど、他の形状であってもよい。
【図面の簡単な説明】
【００４６】
【図１】本発明のゴルフボールの一実施形態を示す正面図
【図２】彩色マークの配置を示す図
【図３】彩色マークの配置の基準となる正二十面体の正面図
【図４】彩色マークの配置の基準となる二十面十二面体の正面図
【図５】実験結果を示す図
【図６】本発明のゴルフボールセットの一実施形態を示す斜視図
【図７】ゴルフボール及び包装ケースの斜視図
【図８】本発明のゴルフボールセットの他の実施形態を示す斜視図
【図９】第１の包装ケース及び第２の包装ケースの斜視図
【図１０】本発明のゴルフボールの他の実施形態を示す側面図
【図１１】ゴルフボールのショット時を示す平面図
【符号の説明】
【００４７】
１…ゴルフボール、２…ボール本体、４…彩色マーク、４ａ…番号表示、５…マーク、５ａ…第１のマーク部、５ｂ…第２のマーク部、１０…ゴルフボールセット、１１…包装ケース、２０…ゴルフボールセット、２１…第１の包装ケース、２２…第２の包装ケース、Ａ1 …頂点、Ａ…正二十面体、Ｂ1 …頂点、Ｂ…二十面十二面体。
【図１】
2008259721.tif 000003
【図２】
2008259721.tif 000004
【図３】
2008259721.tif 000005
【図４】
2008259721.tif 000006
【図５】
2008259721.tif 000007
【図６】
2008259721.tif 000008
【図７】
2008259721.tif 000009
【図８】
2008259721.tif 000010
【図９】
2008259721.tif 000011
【図１０】
2008259721.tif 000012
【図１１】
2008259721.tif 000013